【手続補正書】
【提出日】平成27年6月22日(2015.6.22)
【手続補正１】
【補正対象書類名】明細書
【補正対象項目名】０００１
【補正方法】変更
【補正の内容】
【０００１】
本発明は、端末装置、サーバ装置、その制御方法、および制御プログラム、並びに情報処理システムに関し、特に、セッション管理を適切にするとともに、データを適切に管理するための技術に関する。
【手続補正２】
【補正対象書類名】明細書
【補正対象項目名】００１５
【補正方法】変更
【補正の内容】
【００１５】
そこで、本発明の目的は、共有ユーザに係るセッションで登録されたデータに対し、当該データを入力したユーザを管理することのできる端末装置、サーバ装置、その制御方法、および制御プログラム、並びに情報処理システムを提供することにある。
【手続補正３】
【補正対象書類名】明細書
【補正対象項目名】００１６
【補正方法】変更
【補正の内容】
【００１６】
上記の目的を達成するため、本発明による端末装置は、セッションを管理するサーバ装置と通信可能な端末装置であって、共有ユーザに係る共有ユーザ情報を送信して前記サーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、前記端末装置を使用したユーザが登録した登録データとすべく、前記登録データ送信手段による前記登録データの送信とは別の通信により、当該端末装置を使用するために受け付けたユーザに係るユーザ識別情報を、前記サーバ装置に送信する登録ユーザ情報送信手段と、を有することを特徴とする。
【手続補正４】
【補正対象書類名】明細書
【補正対象項目名】００１７
【補正方法】変更
【補正の内容】
【００１７】
本発明によるサーバ装置は、共有ユーザに係る共有ユーザ情報を送信してサーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、端末装置を使用したユーザが登録した登録データとすべく、前記登録データ送信手段による前記登録データの送信とは別の通信により、当該端末装置を使用するために受け付けたユーザに係るユーザ識別情報を前記サーバ装置に送信する登録ユーザ情報送信手段とを備える端末装置と通信可能なセッションを管理するサーバ装置であって、前記端末装置から前記共有ユーザ情報にかかるセッションで受信した前記登録データを、前記端末装置から受信した前記ユーザ識別情報を用いて更新する更新手段を有することを特徴とする。
【手続補正５】
【補正対象書類名】明細書
【補正対象項目名】００１８
【補正方法】変更
【補正の内容】
【００１８】
本発明による情報処理システムは、セッションを管理するサーバ装置と、該サーバ装置と通信可能な端末装置とを有する情報処理システムであって、前記端末装置は、共有ユーザに係る共有ユーザ情報を送信して前記サーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、前記端末装置を使用したユーザが登録した登録データとすべく、前記登録データ送信手段による前記登録データの送信とは別の通信により、当該端末装置を使用するために受け付けたユーザに係るユーザ識別情報を、前記サーバ装置に送信する登録ユーザ情報送信手段とを有し、前記サーバ装置は、前記端末装置から前記共有ユーザ情報にかかるセッションで受信した前記登録データを、前記端末装置から受信した前記ユーザ識別情報を用いて更新する更新手段を有することを特徴とする。
【手続補正６】
【補正対象書類名】明細書
【補正対象項目名】００１９
【補正方法】変更
【補正の内容】
【００１９】
本発明による端末装置の制御方法は、セッションを管理するサーバ装置と通信可能な端末装置の制御方法であって、共有ユーザに係る共有ユーザ情報を送信して前記サーバ装置へログインを要求するログイン要求ステップと、前記ログイン要求に基づいて開始された前記共有ユーザ情報に係るセッションにおいて入力されたデータを登録データとして前記サーバ装置に送信する登録データ送信ステップと、前記共有ユーザ情報に対応して前記サーバ装置に登録された登録データを、前記端末装置を使用したユーザが登録した登録データとすべく、前記登録データ送信ステップによる前記登録データの送信とは別の通信により、当該端末装置を使用するために受け付けたユーザに係るユーザ識別情報を、前記サーバ装置に送信する登録ユーザ情報送信ステップと、を有することを特徴とする。
【手続補正７】
【補正対象書類名】明細書
【補正対象項目名】００２０
【補正方法】変更
【補正の内容】
【００２０】
本発明によるサーバ装置の制御方法は、共有ユーザに係る共有ユーザ情報を送信してサーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、端末装置を使用したユーザが登録した登録データとすべく、前記登録データ送信手段による前記登録データの送信とは別の通信により、当該端末装置を使用するために受け付けたユーザに係るユーザ識別情報を前記サーバ装置に送信する登録ユーザ情報送信手段とを備える端末装置と通信可能なセッションを管理するサーバ装置の制御方法であって、前記端末装置から前記共有ユーザ情報にかかるセッションで受信した前記登録データを、前記端末装置から受信した前記ユーザ識別情報を用いて更新する更新ステップを有することを特徴とする。
【手続補正８】
【補正対象書類名】明細書
【補正対象項目名】００２１
【補正方法】変更
【補正の内容】
【００２１】
本発明による端末装置で用いられるプログラムは、セッションを管理するサーバ装置と通信可能な端末装置で用いられる制御プログラムであって、前記端末装置が備えるコンピュータに、共有ユーザに係る共有ユーザ情報を送信して前記サーバ装置へログインを要求するログイン要求ステップと、前記ログイン要求に基づいて開始された前記共有ユーザ情報に係るセッションにおいて入力されたデータを登録データとして前記サーバ装置に送信する登録データ送信ステップと、前記共有ユーザ情報に対応して前記サーバ装置に登録された登録データを、前記端末装置を使用したユーザが登録した登録データとすべく、前記登録データ送信ステップによる前記登録データの送信とは別の通信により、当該端末装置を使用するために受け付けたユーザに係るユーザ識別情報を、前記サーバ装置に送信する登録ユーザ情報送信ステップと、を実行させることを特徴とする。
【手続補正９】
【補正対象書類名】明細書
【補正対象項目名】００２２
【補正方法】変更
【補正の内容】
【００２２】
本発明によるサーバ装置で用いられる制御プログラムは、共有ユーザに係る共有ユーザ情報を送信してサーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、端末装置を使用したユーザが登録した登録データとすべく、前記登録データ送信手段による前記登録データの送信とは別の通信により、当該端末装置を使用するために受け付けたユーザに係るユーザ識別情報を前記サーバ装置に送信する登録ユーザ情報送信手段とを備える端末装置と通信可能なセッションを管理するサーバ装置で用いられる制御プログラムであって、前記サーバ装置が備えるコンピュータに、前記端末装置から前記共有ユーザ情報にかかるセッションで受信した前記登録データを、前記端末装置から受信した前記ユーザ識別情報を用いて更新する更新ステップを実行させることを特徴とする。
【手続補正１０】
【補正対象書類名】明細書
【補正対象項目名】００２３
【補正方法】変更
【補正の内容】
【００２３】
本発明によれば、共有ユーザに係るセッションで登録されたデータに対し、当該データを入力したユーザを管理することができる。
【手続補正１１】
【補正対象書類名】明細書
【補正対象項目名】０１５２
【補正方法】変更
【補正の内容】
【０１５２】
また、設定部３０５がセッション設定手段として機能し、登録データ受信部３０６およびデータ登録部３０７が更新手段として機能する。さらに、登録ユーザ情報受信部３０８およびデータ特定部３０９がデータ特定手段として機能し、ユーザ識別情報登録部３１０がユーザ識別情報登録手段として機能する。なお、Ｗｅｂサーバ１００に備えられた外部メモリ２１１およびＤＢ１００ａは記憶装置である。
【手続補正１２】
【補正対象書類名】特許請求の範囲
【補正対象項目名】全文
【補正方法】変更
【補正の内容】
【特許請求の範囲】
【請求項１】
セッションを管理するサーバ装置と通信可能な端末装置であって、
共有ユーザに係る共有ユーザ情報を送信して前記サーバ装置へログインを要求するログイン要求手段と、
前記ログイン要求に基づいて開始された前記共有ユーザ情報に係るセッションにおいて入力されたデータを登録データとして前記サーバ装置に送信する登録データ送信手段と、
前記共有ユーザ情報に対応して前記サーバ装置に登録された登録データを、前記端末装置を使用したユーザが登録した登録データとすべく、前記登録データ送信手段による前記登録データの送信とは別の通信により、当該端末装置を使用するために受け付けたユーザに係るユーザ識別情報を、前記サーバ装置に送信する登録ユーザ情報送信手段と、
を有することを特徴とする端末装置。
【請求項２】
ユーザの識別を行うため所定の読取対象物を読み取って得た読取情報によるユーザ認証に応じて前記端末装置の利用を許可する許可制御手段と、
前記許可制御手段によって前記端末装置の利用が許可された前記読取情報を記憶部に記憶する記憶制御手段とを有し、
前記登録ユーザ情報送信手段は、前記記憶部に記憶された前記読取情報を所定のタイミングで前記ユーザ識別情報として前記サーバ装置に送信することを特徴とする請求項１に記載の端末装置。
【請求項３】
前記記憶制御手段は前記端末装置の利用を許可した時間であるロック解除時間を前記記憶部に記録することを特徴とする請求項２に記載の端末装置。
【請求項４】
前記許可制御手段は、前記読取対象物の読取が不可な状態となると、前記端末装置の利用を不許可として前記端末装置をロック設定し、
前記記憶制御手段は、前記ロック設定が行われたロック設定時間を前記記憶部に記憶し、
前記登録ユーザ情報送信手段は、前記読取対象物の読取が不可な状態となった場合に、前記ロック解除時間および前記ロック設定時間を前記サーバ装置に送信することを特徴とする請求項３に記載の端末装置。
【請求項５】
前記共有ユーザ情報の認証結果に応じて前記サーバから送信され、前記登録データを入力するためのデータ入力画面を受信した後、前記端末装置をロック状態とするロック手段を有することを特徴とする請求項１〜４のいずれか１項に記載の端末装置。
【請求項６】
共有ユーザに係る共有ユーザ情報を送信してサーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、端末装置を使用したユーザが登録した登録データとすべく、前記登録データ送信手段による前記登録データの送信とは別の通信により、当該端末装置を使用するために受け付けたユーザに係るユーザ識別情報を前記サーバ装置に送信する登録ユーザ情報送信手段とを備える端末装置と通信可能なセッションを管理するサーバ装置であって、
前記端末装置から前記共有ユーザ情報にかかるセッションで受信した前記登録データを、前記端末装置から受信した前記ユーザ識別情報を用いて更新する更新手段を有することを特徴とするサーバ装置。
【請求項７】
前記ユーザ識別情報を受信すると、当該ユーザ識別情報に対応するユーザが登録した登録データを特定するデータ特定手段を有し、
前記更新手段は、前記データ特定手段によって特定された登録データの登録者として前記ユーザ識別情報を登録することを特徴とする請求項６に記載のサーバ装置。
【請求項８】
前記データ特定手段は、前記端末装置から当該端末装置の利用を許可した時間であるロック解除時間と前記端末装置の利用を不許可した時間であるロック設定時間を受けて、前記ユーザ識別情報に応じて前記ロック解除時間と前記ロック設定時間との間で登録された登録データを特定することを特徴とする請求項７に記載のサーバ装置。
【請求項９】
セッションを管理するサーバ装置と、該サーバ装置と通信可能な端末装置とを有する情報処理システムであって、
前記端末装置は、
共有ユーザに係る共有ユーザ情報を送信して前記サーバ装置へログインを要求するログイン要求手段と、
前記ログイン要求に基づいて開始された前記共有ユーザ情報に係るセッションにおいて入力されたデータを登録データとして前記サーバ装置に送信する登録データ送信手段と、
前記共有ユーザ情報に対応して前記サーバ装置に登録された登録データを、前記端末装置を使用したユーザが登録した登録データとすべく、前記登録データ送信手段による前記登録データの送信とは別の通信により、当該端末装置を使用するために受け付けたユーザに係るユーザ識別情報を、前記サーバ装置に送信する登録ユーザ情報送信手段とを有し、
前記サーバ装置は、前記端末装置から前記共有ユーザ情報にかかるセッションで受信した前記登録データを、前記端末装置から受信した前記ユーザ識別情報を用いて更新する更新手段を有することを特徴とする情報処理システム。
【請求項１０】
セッションを管理するサーバ装置と通信可能な端末装置の制御方法であって、
共有ユーザに係る共有ユーザ情報を送信して前記サーバ装置へログインを要求するログイン要求ステップと、
前記ログイン要求に基づいて開始された前記共有ユーザ情報に係るセッションにおいて入力されたデータを登録データとして前記サーバ装置に送信する登録データ送信ステップと、
前記共有ユーザ情報に対応して前記サーバ装置に登録された登録データを、前記端末装置を使用したユーザが登録した登録データとすべく、前記登録データ送信ステップによる前記登録データの送信とは別の通信により、当該端末装置を使用するために受け付けたユーザに係るユーザ識別情報を、前記サーバ装置に送信する登録ユーザ情報送信ステップと、
を有することを特徴とする制御方法。
【請求項１１】
共有ユーザに係る共有ユーザ情報を送信してサーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、端末装置を使用したユーザが登録した登録データとすべく、前記登録データ送信手段による前記登録データの送信とは別の通信により、当該端末装置を使用するために受け付けたユーザに係るユーザ識別情報を前記サーバ装置に送信する登録ユーザ情報送信手段とを備える端末装置と通信可能なセッションを管理するサーバ装置の制御方法であって、
前記端末装置から前記共有ユーザ情報にかかるセッションで受信した前記登録データを、前記端末装置から受信した前記ユーザ識別情報を用いて更新する更新ステップを有することを特徴とする制御方法。
【請求項１２】
セッションを管理するサーバ装置と通信可能な端末装置で用いられる制御プログラムであって、
前記端末装置が備えるコンピュータに、
共有ユーザに係る共有ユーザ情報を送信して前記サーバ装置へログインを要求するログイン要求ステップと、
前記ログイン要求に基づいて開始された前記共有ユーザ情報に係るセッションにおいて入力されたデータを登録データとして前記サーバ装置に送信する登録データ送信ステップと、
前記共有ユーザ情報に対応して前記サーバ装置に登録された登録データを、前記端末装置を使用したユーザが登録した登録データとすべく、前記登録データ送信ステップによる前記登録データの送信とは別の通信により、当該端末装置を使用するために受け付けたユーザに係るユーザ識別情報を、前記サーバ装置に送信する登録ユーザ情報送信ステップと、
を実行させることを特徴とする制御プログラム。
【請求項１３】
共有ユーザに係る共有ユーザ情報を送信してサーバ装置へログインを要求するログイン要求手段と、前記ログイン要求に基づいて開始された前記共有ユーザ情報に係るセッションにおいて入力されたデータを登録データとして前記サーバ装置に送信する登録データ送信手段と、前記共有ユーザ情報に対応して前記サーバ装置に登録された登録データを、端末装置を使用したユーザが登録した登録データとすべく、前記登録データ送信手段による前記登録データの送信とは別の通信により、当該端末装置を使用するために受け付けたユーザに係るユーザ識別情報を前記サーバ装置に送信する登録ユーザ情報送信手段とを備える端末装置と通信可能なセッションを管理するサーバ装置で用いられる制御プログラムであって、
前記サーバ装置が備えるコンピュータに、
前記端末装置から前記共有ユーザ情報にかかるセッションで受信した前記登録データを、前記端末装置から受信した前記ユーザ識別情報を用いて更新する更新ステップを実行させることを特徴とする制御プログラム。